【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
表示対象となる表示対象画像を加工して得られるサムネイル画像をディスプレイ画面に同時に複数表示する一覧表示機能を持った画像表示装置であって、
前記ディスプレイ画面上に表示されている画像を制御するための操作信号を入力する信号入力手段と、
前記信号入力手段を使って入力される操作信号の入力頻度を判定する入力頻度判定手段と、
前記入力頻度判定手段によって判定された入力頻度に基づいて、前記ディスプレイ画面に表示されるサムネイル画像を変更するサムネイル画像変更手段と、
を備えることを特徴とする画像表示装置。
【請求項２】
前記信号入力手段は、前記ディスプレイ画面上に表示されたカーソルを移動するシフトキーを含み、
サムネイル画像が前記表示対象画像に縮小を含む処理をして生成され、
前記サムネイル画像変更手段は、前記シフトキーの操作によって入力される操作信号の入力頻度が前記入力頻度判定手段によってより高いと判定された場合、表示対象画像をより高い縮小率で縮小したサムネイル画像を前記ディスプレイ画面上に表示すると共に、前記シフトキーの操作によって入力される操作信号の入力頻度が前記入力頻度判定手段によってより低いと判定された場合、表示対象画像をより低い縮小率で縮小したサムネイル画像を前記ディスプレイ画面上に表示することを特徴とする請求項１に記載の画像表示装置。
【請求項３】
前記入力頻度判定手段は、操作信号の入力頻度を、操作信号が入力される時間間隔によって判定し、時間間隔がより短い場合により操作頻度がより高い、時間間隔がより長い場合により操作頻度がより低いと判定することを特徴とする請求項１または２に記載の画像表示装置。
【請求項４】
表示対象画像に縮小を含む処理をしてサムネイル画像を生成するサムネイル画像生成手段を備え、前記サムネイル画像変更手段は、前記入力頻度判定手段によって判定された入力頻度に基づいて前記サムネイル画像生成手段によって行われる縮小処理の縮小倍率を変更することを特徴とする請求項１から３のいずれか１項に記載の画像表示装置。
【請求項５】
表示対象画像に縮小率が異なる縮小処理を含む処理をして生成されたサムネイル画像を保存するサムネイル画像保存手段を備え、前記サムネイル画像変更手段は、前記サムネイル画像保存手段に保存されているサムネイル画像のうち、前記入力頻度判定手段によって判定された入力頻度に対応する縮小率で縮小されたサムネイル画像を前記ディスプレイ画面上に表示することを特徴とする請求項１から４のいずれか１項に記載の画像表示装置。
【請求項６】
前記入力頻度判定手段によって操作信号の入力頻度が所定の頻度に達したと判定された場合、該所定の頻度で操作信号が連続して入力される時間を計時する連続入力時間計時手段を備え、前記サムネイル画像変更手段は、前記連続入力時間計時手段による計時時間が所定の時間に達した場合に前記ディスプレイ画面に表示されるサムネイル画像を変更することを特徴とする請求項１から５のいずれか１項に記載の画像表示装置。
【請求項７】
連続入力時間計時手段は、操作信号が入力される時間間隔がより長くなったことによって操作信号の入力頻度が所定の頻度に達したと判定された場合と、操作信号が入力される時間間隔がより短くなったことによって操作信号の入力頻度が所定の頻度に達したと判定された場合とのいずれか一方においてのみ操作信号が連続して入力される時間を計時することを特徴とする請求項３から６のいずれか１項に記載の画像表示装置。
【請求項８】
前記入力頻度判定手段は、サムネイル画像の表示開始または前記サムネイル画像変更手段によるサムネイル画像変更後、所定の時間内は操作信号の入力頻度の判定を停止することを特徴とする請求項１から７のいずれか１項に記載の画像表示装置。
【請求項９】
表示対象となる表示対象画像を加工して得られるサムネイル画像をディスプレイ画面に同時に複数表示させるための画像表示制御プログラムであって、
前記ディスプレイ画面上に表示されている画像を制御するための操作信号を入力する信号入力機能と、
前記信号入力機能において入力される操作信号の入力頻度に基づいて、前記ディスプレイ画面に表示されるサムネイル画像を変更するサムネイル画像変更機能と、をコンピュータに実現させることを特徴とする画像表示制御プログラム。
【手続補正２】
【補正対象書類名】明細書
【補正対象項目名】発明の名称
【補正方法】変更
【補正の内容】
【発明の名称】画像表示装置及び画像表示制御プログラム
【手続補正３】
【補正対象書類名】明細書
【補正対象項目名】０００１
【補正方法】変更
【補正の内容】
【０００１】
本発明は、画像表示装置及び画像表示制御プログラムに係り、特にサムネイル画像の表示機能を持った画像表示装置及び画像表示制御プログラムに関する。
【手続補正４】
【補正対象書類名】明細書
【補正対象項目名】０００７
【補正方法】変更
【補正の内容】
【０００７】
本発明は、このような点に鑑みてなされたものであり、サムネイル画像の表示にかかる時間を短縮でき、かつ目的とする画像を絞り込むことに適した画像表示装置及び画像表示制御プログラムを提供することを目的とする。
【手続補正５】
【補正対象書類名】明細書
【補正対象項目名】００１８
【補正方法】変更
【補正の内容】
【００１８】
このような発明によれば、サムネイル画像の変更によってユーザの操作頻度が低下した場合、ディスプレイ画面に表示されているサムネイル画像が変更されることをなくし、画像表示装置の操作性を高めることができる。
また、本発明の画像表示制御プログラムは、表示対象となる表示対象画像を加工して得られるサムネイル画像をディスプレイ画面に同時に複数表示させるための画像表示制御プログラムであって、前記ディスプレイ画面上に表示されている画像を制御するための操作信号を入力する信号入力機能と、前記信号入力機能において入力される操作信号の入力頻度に基づいて、前記ディスプレイ画面に表示されるサムネイル画像を変更するサムネイル画像変更機能と、をコンピュータに実現させることを特徴とする。
【手続補正６】
【補正対象書類名】明細書
【補正対象項目名】００２０
【補正方法】変更
【補正の内容】
【００２０】
このような本発明は、ユーザの操作効率を高めることができるので、サムネイル画像の表示にかかる時間を短縮でき、かつ目的画像を絞り込むことに適した画像表示制御プログラムを提供することができる。
【手続補正７】
【補正対象書類名】明細書
【補正対象項目名】００２１
【補正方法】変更
【補正の内容】
【００２１】
以下、図を参照して本発明に係る画像表示装置及び画像表示制御プログラムの一実施形態を説明する。
図１は、本発明の画像表示装置の一実施形態の構成を説明するための図である。なお、本実施形態では、画像表示装置を、コンテンツあるいは複数ページを含む電子書籍等のビューアとして構成するものとする。そして、本実施の画像表示装置は、ビューアとしての表示対象となる表示対象画像を加工して得られるサムネイル画像をディスプレイ画面に同時に複数表示する一覧表示機能を持っている。なお、本実施形態では、表示対象画像を、サムネイル画像加工前の画像であることから以降はオリジナル画像と記す。
【手続補正８】
【補正対象書類名】明細書
【補正対象項目名】００３６
【補正方法】変更
【補正の内容】
【００３６】
また、ユーザは、目的のサムネイル画像が表示された一覧画面が表示された場合、この一覧画面を切替えることなく、一覧画面のうち目的のページ画像のサムネイル画像を検索する。そして、サムネイル画像を特定し、シフトキー１０３を操作してこのサムネイル画像に向けてカーソル１０９を移動させる。
また、ユーザは、サムネイル画像を早く選択するため、カーソル１０９が目的のサムネイル画像と離れた位置に表示されているほど高速にカーソル１０９を移動する傾向がある。本実施形態のシフトキー１０３は、1回押下するごとに押下された十字キーの方向にあるサムネイル画像を指し示すようにカーソルを移動させる。このため、高速にカーソル１０９を移動させる場合、ユーザは、シフトキー１０３を比較的短い時間間隔で、かつ連続して押下することになる。
このような傾向から、本実施形態では、キーが比較的短い時間間隔で押下される場合、目的のサムネイル画像が表示されている一覧性表示画面が表示されている場合にあっても、このサムネイル画像の近くにカーソル１０９が表示されていないと解釈する。そして、このような場合には、比較的一覧性の高い一覧画面を表示する。このような処理によれば、少ない操作回数で目的のサムネイル画像近くにカーソル１０９を表示することができる。
【手続補正９】
【補正対象書類名】明細書
【補正対象項目名】００４０
【補正方法】変更
【補正の内容】
【００４０】
また、本実施形態の画像表示装置は、ページ移行判定タイマ３０３を備えている。ページ移行判定タイマ３０３は、キー入力間隔監視部３０２によって判定される入力頻度が所定の頻度に達した場合、この頻度で操作信号が連続して入力される時間を計時する連続入力時間計時手段として機能する。ページレイアウト部３０５は、操作信号の入力頻度に加えてページ移行判定タイマ３０３による計時時間が所定の時間に達した場合にディスプレイ１０１に表示されるサムネイル画像を変更することもできる。
【手続補正１０】
【補正対象書類名】明細書
【補正対象項目名】００４６
【補正方法】変更
【補正の内容】
【００４６】
図４は、キー入力間隔と一覧画面のランク変更との関係について説明するための図である。図４の縦軸は、キー入力間隔を示し、横軸は一覧画面のランク変更に係る時間を示している。また、縦軸中に示したＴcs、Ｔs1、Ｔs2、Ｔs3は、それぞれ一覧画面のランクを移行する際のキー入力間隔のしきい値であって、図示したように、Ｔcs＜Ｔs1＜Ｔｓ2＜Ｔｓ3の関係を有している。また、図中に示した符号４０１、４０２、４０３は、いずれも一覧画面のランク移行のタイミングを示している。
【手続補正１１】
【補正対象書類名】明細書
【補正対象項目名】００５７
【補正方法】変更
【補正の内容】
【００５７】
図６は、本実施形態の画像表示制御プログラムのフローチャートである。本実施形態では、カードメディア２０８に文書データと共に文書データの各ページを示すサムネイル画像が保存されているものとする。また、本実施形態では、図２に示したレベルＡ、レベルＢ、レベルＣのすべてについてサムネイル画像が、予めカードメディア２０８に保存されていて、カードメディア２０８は、フラッシュメモリによって文書データ及びサムネイル画像を保存している。
【手続補正１２】
【補正対象書類名】明細書
【補正対象項目名】００７５
【補正方法】変更
【補正の内容】
【００７５】
キー入力間隔が短くなった場合、ユーザは表示したいオリジナル画像のサムネイル画像をいったんは絞り込んだものの、再度検索範囲を広げてサムネイル画像を検索しているものと解釈されると考えられる。このため、本実施形態は、ユーザがサムネイル画像の検索範囲を広げたことに対応し、一覧画面表示の一覧性をより高めることを可能にしている。
なお、以上述べた本実施形態の画像表示制御プログラムは、インストール可能な形式または実行可能な形式のファイルでＣＤ−ＲＯＭ、フロッピー（登録商標）ディスク（ＦＤ）、ＤＶＤ等のコンピュータで読み取り可能な記録媒体に記録されて提供される。また、本実施形態の画像表示制御プログラムを、インターネット等のネットワークに接続されたコンピュータ上に格納し、ネットワーク経由でダウンロードさせることにより提供するように構成しても良い。
【手続補正１３】
【補正対象書類名】明細書
【補正対象項目名】００７７
【補正方法】変更
【補正の内容】
【００７７】
【図１】本発明一実施形態の画像表示装置の構成を説明するためのブロック図である。
【図２】電子ブックを例にしたサムネイル画像を説明するための図である。
【図３】本発明一実施形態の画像表示装置の構成を説明するための機能ブロック図である。
【図４】本発明の一実施形態のキー入力間隔と一覧画面のランク変更との関係について説明するための図である。
【図５】本発明の一実施形態のユーザの状態とキー入力間隔との関係について説明するための図である。
【図６】本実施形態の画像表示制御プログラムのフローチャートである。